(57)【要約】【課題】例えばＩＣカードなどの小型機器に適用される入力装置に関して、スクロール操作を適切に認識する。【解決手段】入力装置は、静電容量式に構成され、隣接配置された複数のタッチセンサ用電極と、タッチセンサ用電極の出力に基づいて、タッチセンサ用電極に対するタッチを検出する制御手段と、を備える。制御手段は、複数のタッチセンサ用電極の中の一つのタッチセンサ用電極に対するタッチを検出した後に、当該一つのタッチセンサ用電極に隣接するタッチセンサ用電極に対するタッチを検出した場合に、スクロール操作が行われたと判定する。【選択図】図１
2013232148.tif 000002
【特許請求の範囲】
【請求項１】
静電容量式に構成され、隣接配置された複数のタッチセンサ用電極と、
前記タッチセンサ用電極の出力に基づいて、前記タッチセンサ用電極に対するタッチを検出する制御手段と、を備え、
前記制御手段は、前記複数のタッチセンサ用電極の中の一つのタッチセンサ用電極に対するタッチを検出した後に、当該一つのタッチセンサ用電極に隣接するタッチセンサ用電極に対するタッチを検出した場合に、スクロール操作が行われたと判定することを特徴とする入力装置。
【請求項２】
前記制御手段は、前記一つのタッチセンサ用電極に対するタッチを検出した場合に、当該一つのタッチセンサ用電極に対する電圧の印加を停止し、当該一つのタッチセンサ用電極に隣接するタッチセンサ用電極に対してのみ電圧を印加することを特徴とする請求項１に記載の入力装置。
【請求項３】
前記制御手段は、前記一つのタッチセンサ用電極に対するタッチを検出した場合に、当該一つのタッチセンサ用電極だけでなく、当該一つのタッチセンサ用電極に隣接しないタッチセンサ用電極に対する電圧の印加も停止することを特徴とする請求項２に記載の入力装置。
【請求項４】
前記制御手段は、
前記一つのタッチセンサ用電極に対するタッチを検出してから所定時間以内に、当該一つのタッチセンサ用電極に隣接するタッチセンサ用電極に対するタッチを検出した場合に、前記スクロール操作が行われたと判定し、
前記一つのタッチセンサ用電極に対するタッチを検出してから前記所定時間以内に、当該一つのタッチセンサ用電極に隣接するタッチセンサ用電極に対するタッチを検出しなかった場合には、前記スクロール操作が行われたと判定しないことを特徴とする請求項１乃至３のいずれか一項に記載の入力装置。
【請求項５】
所定の情報を表示させる表示部を更に備え、
前記制御手段は、前記スクロール操作が行われたと判定した場合に、前記表示部の表示をスクロールさせる制御を行うことを特徴とする請求項１乃至４のいずれか一項に記載の入力装置。
【請求項６】
前記制御手段は、前記一つのタッチセンサ用電極に対するタッチを検出してから、当該一つのタッチセンサ用電極に隣接するタッチセンサ用電極に対するタッチを検出するまでの時間に応じて、前記表示部の表示をスクロールさせる速さを変えることを特徴とする請求項５に記載の入力装置。
【請求項７】
前記表示部は、セグメント表示を行うことを特徴とする請求項５又は６に記載の入力装置。
【発明の詳細な説明】
【技術分野】
【０００１】
本発明は、静電容量式タッチセンサを用いた入力装置に関する。
【背景技術】
【０００２】
従来から、入力機能を有するＩＣカードが知られている。例えば、特許文献１には、テンキーとディスプレイとを有するＩＣカードが記載されている。その他にも、入力部と表示部とを有するＩＣカードに関する技術が、例えば特許文献２乃至４に記載されている。
【先行技術文献】
【特許文献】
【０００３】
【特許文献１】特開２００２−１０９４３９号公報
【特許文献２】特開２００６−２２１３１３号公報
【特許文献３】特許第２５６２４８２号公報
【特許文献４】特開平５−２１２９９４号公報
【発明の概要】
【発明が解決しようとする課題】
【０００４】
ところで、ＩＣカードなどの小型機器において、ユーザの操作によりスクロール表示を行うことができれば便宜である。上記した特許文献１乃至４には、そのようなスクロール表示についての記載はない。そこで、本発明は、例えばＩＣカードなどの小型機器に適用される入力装置に関して、スクロール操作を適切に認識することを目的とする。
【課題を解決するための手段】
【０００５】
本発明の１つの観点では、入力装置は、静電容量式に構成され、隣接配置された複数のタッチセンサ用電極と、前記タッチセンサ用電極の出力に基づいて、前記タッチセンサ用電極に対するタッチを検出する制御手段と、を備え、前記制御手段は、前記複数のタッチセンサ用電極の中の一つのタッチセンサ用電極に対するタッチを検出した後に、当該一つのタッチセンサ用電極に隣接するタッチセンサ用電極に対するタッチを検出した場合に、スクロール操作が行われたと判定する。
【０００６】
上記の入力装置は、入力素子として複数の静電容量式のタッチセンサ用電極を用いて、ユーザの指先のタッチを検出する。制御手段は、タッチセンサ用電極に電圧を印加する制御を行い、当該電圧を印加した場合のタッチセンサ用電極の出力が入力される。そして、制御手段は、タッチセンサ用電極の出力に基づいて、タッチセンサ用電極に対するタッチを検出する。また、制御手段は、そのようなタッチセンサ用電極に対するタッチの検出結果に基づいて、表示をスクロールさせるためのスクロール操作がユーザにより行われたか否かを判定する。具体的には、制御手段は、複数のタッチセンサ用電極の中の一つのタッチセンサ用電極に対するタッチを検出した後に、当該一つのタッチセンサ用電極に隣接するタッチセンサ用電極に対するタッチを検出した場合に、スクロール操作が行われたと判定する。これにより、タッチセンサ用電極に対するタッチに基づいて、スクロール操作を適切に認識することができる。よって、上記の入力装置によれば、簡便なハードウェア構成及びソフトウェア処理にて、スクロール操作を認識することが可能となる。
【０００７】
なお、本明細書では、「タッチセンサ用電極がタッチされた」とは、タッチセンサ用電極が指先で直接タッチされた場合だけでなく、所定のフィルムなどを介してタッチセンサ用電極が間接的に指先でタッチされた場合も含むものとする。また、本明細書では、「静電容量式タッチセンサ」の文言を、「タッチセンサ用電極」を意味するものとして用いることもある。
【０００８】
上記の入力装置の一態様では、前記制御手段は、前記一つのタッチセンサ用電極に対するタッチを検出した場合に、当該一つのタッチセンサ用電極に対する電圧の印加を停止し、当該一つのタッチセンサ用電極に隣接するタッチセンサ用電極に対してのみ電圧を印加する。これにより、入力装置の消費電力を適切に抑えることが可能となる。
【０００９】
上記の入力装置において好適には、前記制御手段は、前記一つのタッチセンサ用電極に対するタッチを検出した場合に、当該一つのタッチセンサ用電極だけでなく、当該一つのタッチセンサ用電極に隣接しないタッチセンサ用電極に対する電圧の印加も停止する。これにより、入力装置の消費電力を更に抑えることが可能となる。
【００１０】
上記の入力装置の他の一態様では、前記制御手段は、前記一つのタッチセンサ用電極に対するタッチを検出してから所定時間以内に、当該一つのタッチセンサ用電極に隣接するタッチセンサ用電極に対するタッチを検出した場合に、前記スクロール操作が行われたと判定し、前記一つのタッチセンサ用電極に対するタッチを検出してから前記所定時間以内に、当該一つのタッチセンサ用電極に隣接するタッチセンサ用電極に対するタッチを検出しなかった場合には、前記スクロール操作が行われたと判定しない。この態様では、制御手段は、複数のタッチセンサ用電極の中の一つのタッチセンサ用電極に対するタッチを検出した場合に、当該一つのタッチセンサ用電極に隣接するタッチセンサ用電極がタッチされたか否かを所定時間監視する。
【００１１】
上記の入力装置の他の一態様では、所定の情報を表示させる表示部を更に備え、前記制御手段は、前記スクロール操作が行われたと判定した場合に、前記表示部の表示をスクロールさせる制御を行う。この態様では、制御手段は、スクロール操作が行われたと判定した場合に、タッチセンサ用電極がタッチされた順に応じて（つまりスクロール操作が行われた方向に応じて）、表示部の表示をスクロールさせる。
【００１２】
上記の入力装置において好適には、前記制御手段は、前記一つのタッチセンサ用電極に対するタッチを検出してから、当該一つのタッチセンサ用電極に隣接するタッチセンサ用電極に対するタッチを検出するまでの時間に応じて、前記表示部の表示をスクロールさせる速さを変える。具体的には、制御手段は、隣接するタッチセンサ用電極に対するタッチの時間間隔が短いほど、スクロール速度を速くし、当該時間間隔が長いほど、スクロール速度を遅くする。
【００１３】
好適な例では、前記表示部はセグメント表示を行う。この例では、例えばＩＣカードなどの小型機器に入力装置を適用することができる。
【図面の簡単な説明】
【００１４】
【図１】本実施形態に係る入力装置を適用したＩＣカードの全体構成を概略的に示した図である。
【図２】静電容量式タッチセンサの構造の一例を示した図である。
【図３】本実施形態に係るスクロール表示の具体例を説明するための図である。
【図４】他の例に係るＩＣカードの全体構成を概略的に示した図である。
【図５】３つの静電容量式タッチセンサを用いた場合の構成を説明するための図である。
【発明を実施するための形態】
【００１５】
以下、図面を参照しながら、本発明の実施の形態について説明する。
【００１６】
［装置構成］
まず、本実施形態に係る入力装置の構成について説明する。
【００１７】
図１は、本実施形態に係る入力装置を適用したＩＣカード１０の全体構成を概略的に示した図である。ＩＣカード１０は、ＩＣが実装されたカードであり、主に、制御マイコン１と、スイッチ２と、電源３と、表示部４と、静電容量式タッチセンサ６ａ、６ｂを備える。例えば、ＩＣカード１０は、クレジットカードや、キャッシュカードや、電子マネーカードや、交通系チケットや、ＩＤ証（身分証明証や社員証）としての機能を有する。
【００１８】
スイッチ２は、ＩＣカード１０についての起動スイッチとして機能する。一つの例では、スイッチ２は、メカスイッチにて構成される。
【００１９】
表示部４は、液晶ディスプレイ（ＬＣＤ：Liquid Crystal Display）であり、制御マイコン１による制御に応じた表示を行う。具体的には、表示部４は、複数の表示エリア（図１に示す例では５つの表示エリア）を有しており、当該複数の表示エリアのそれぞれに入力候補文字などを表示させる。また、表示部４は、いわゆるセグメント表示を行う。
【００２０】
静電容量式タッチセンサ６ａ、６ｂは、静電容量式のタッチセンサ用電極を有しており、ユーザの指先のタッチを検出するために用いられる。また、静電容量式タッチセンサ６ａ、６ｂは、横方向に隣接配置されている。例えば、静電容量式タッチセンサ６ａ、６ｂは、人の指先と同程度のサイズに構成される。なお、以下では、静電容量式タッチセンサ６ａ、６ｂを区別しない場合には、単に「静電容量式タッチセンサ６」と表記する。
【００２１】
制御マイコン１は、ＣＰＵ（Central Processing Unit）などを有しており、ＩＣカード１０全体の制御を行う。具体的には、制御マイコン１は、静電容量式タッチセンサ６に電圧を印加する制御を行い、当該電圧を印加した場合の静電容量式タッチセンサ６の出力電圧が入力される。そして、制御マイコン１は、静電容量式タッチセンサ６の出力電圧に基づいて、静電容量式タッチセンサ６に対するタッチを検出する。また、制御マイコン１は、そのような静電容量式タッチセンサ６に対するタッチの検出結果に基づいて、表示部４の表示をスクロールさせるためのスクロール操作が行われたか否かを判定する。詳しくは、制御マイコン１は、静電容量式タッチセンサ６ａ、６ｂのうちの一方に対するタッチを検出した後に、静電容量式タッチセンサ６ａ、６ｂのうちの他方に対するタッチを検出した場合に、スクロール操作が行われたと判定する。そして、制御マイコン１は、スクロール操作が行われたと判定した場合に、表示部４の表示をスクロールさせる制御を行う。つまり、制御マイコン１は、表示部４の表示をスクロールさせることで、表示させる入力候補文字を切り替える。
【００２２】
更に、制御マイコン１は、入力文字の候補となる入力候補文字を表示部４に表示させて、表示部４に表示された入力候補文字の中で、静電容量式タッチセンサ６に対するタッチ操作に応じた文字を入力文字として確定するための処理を行う。例えば、制御マイコン１は、静電容量式タッチセンサ６ａ、６ｂが両方同時にタッチされたか否かを判定する。そして、制御マイコン１は、静電容量式タッチセンサ６ａ、６ｂが両方同時にタッチされたと判定した場合に、この際に表示部４に表示されている入力候補文字を入力文字として確定する、つまり当該入力候補文字を入力文字として取得する。
【００２３】
このように、制御マイコン１は、本発明における「制御手段」の一例に相当する。
【００２４】
ここで、図２を参照して、静電容量式タッチセンサ６の一例について説明する。図２は、静電容量式タッチセンサ６の構造を概略的に示した図である。
【００２５】
図２に示すように、静電容量式タッチセンサ６は、制御マイコン１から電圧が印加されるタッチセンサ用電極６１と、グランドに接続されたタッチセンサ用電極６２と、タッチセンサ用電極６１、６２の間に挟み込まれた絶縁層６３と、を有する。例えば、タッチセンサ用電極６１は、図示しない抵抗を介して制御マイコン１から電圧が印加される。静電容量式タッチセンサ６は、このようなタッチセンサ用電極６１、６２及び絶縁層６３によりコンデンサを形成する。
【００２６】
ここで、人の指先は容量を持った導体であるため、タッチセンサ用電極６１が指先でタッチされると、タッチセンサ用電極６１、６２から構成されるコンデンサと、導体である指先を電極とするようなコンデンサとが接続された状態となる。つまり、指先によりタッチセンサ用電極６１がタッチされると、静電誘導現象が発生して静電容量が増加することとなる。そのため、電容量式タッチセンサ６に電圧を印加すると、タッチセンサ用電極６１がタッチされた場合と、タッチセンサ用電極６１がタッチされていない場合とで、静電容量式タッチセンサ６の出力電圧に違いが現れることとなる。具体的には、タッチセンサ用電極６１がタッチされた場合には、タッチセンサ用電極６１がタッチされていない場合よりも、静電容量式タッチセンサ６の出力電圧が低くなる。したがって、このような静電容量式タッチセンサ６の出力電圧をモニタすることで、タッチセンサ用電極６１に対するタッチを検出することができる。
【００２７】
なお、タッチセンサ用電極６１に対するタッチの検出方法は、公知の種々の方法を適用することができる。また、静電容量式タッチセンサ６の構成は図２に示したものに限定はされない。
【００２８】
なお、本明細書では、「センサ用電極６１がタッチされた」と「静電容量式タッチセンサ６がタッチされた」とは同じことを意味するものとする。また、「静電容量式タッチセンサ６の出力電圧」は「センサ用電極６１の出力電圧」と同義であるものとする。
【００２９】
［スクロール操作の判定方法］
以下では、本実施形態に係るスクロール操作の判定方法について具体的に説明する。
【００３０】
本実施形態では、制御マイコン１は、静電容量式タッチセンサ６の出力電圧に基づいて、静電容量式タッチセンサ６に対するタッチを検出し、静電容量式タッチセンサ６に対するタッチの検出結果に基づいて、表示部４の表示をスクロールさせるためのスクロール操作が行われたか否かを判定する。具体的には、制御マイコン１は、静電容量式タッチセンサ６ａ、６ｂのうちの一方に対するタッチを検出した後に、静電容量式タッチセンサ６ａ、６ｂのうちの他方に対するタッチを検出した場合に、スクロール操作が行われたと判定する。
【００３１】
詳しくは、制御マイコン１は、静電容量式タッチセンサ６ａ、６ｂのうちの一方に対するタッチを検出してから所定時間以内に、静電容量式タッチセンサ６ａ、６ｂのうちの他方に対するタッチを検出した場合に、スクロール操作が行われたと判定する。これに対して、制御マイコン１は、静電容量式タッチセンサ６ａ、６ｂのうちの一方に対するタッチを検出してから所定時間以内に、静電容量式タッチセンサ６ａ、６ｂのうちの他方に対するタッチを検出しなかった場合には、スクロール操作が行われたと判定しない。つまり、制御マイコン１は、静電容量式タッチセンサ６ａ、６ｂのうちの一方に対するタッチを検出した場合に、静電容量式タッチセンサ６ａ、６ｂのうちの他方がタッチされたか否かを所定時間監視する。
【００３２】
また、本実施形態では、制御マイコン１は、静電容量式タッチセンサ６ａ、６ｂのうちの一方に対するタッチを検出した場合に、その一方の静電容量式タッチセンサ６に対する電圧の印加を停止し、他方の静電容量式タッチセンサ６に対してのみ電圧を印加する。こうするのは、スクロール操作の判定を行うためには、既にタッチを検出した静電容量式タッチセンサ６についてはタッチを検出する必要はない（つまり当該静電容量式タッチセンサ６から出力電圧を取得する必要はない）と言え、未だタッチを検出していない静電容量式タッチセンサ６についてのタッチのみを検出すれば良い（つまり当該静電容量式タッチセンサ６のみから出力電圧を取得すれば良い）からである。このようにタッチを検出した静電容量式タッチセンサ６に対する電圧の印加を停止することで、電源３の電力の消費を適切に抑えることが可能となる。
【００３３】
なお、制御マイコン１は、静電容量式タッチセンサ６ａ、６ｂのうちの一方に対するタッチを最初に検出するまでは、静電容量式タッチセンサ６ａ、６ｂの両方に対して電圧を印加し続ける。また、制御マイコン１は、スクロール操作が行われたと判定した後は、静電容量式タッチセンサ６ａ、６ｂの両方に対して電圧を印加する、若しくは、スクロール操作の判定時にタッチを検出した静電容量式タッチセンサ６ａ、６ｂのうちの一方に対する電圧の印加を停止し、他方の静電容量式タッチセンサ６に対してのみ電圧を印加する。
【００３４】
次に、図３を参照して、本実施形態に係るスクロール表示の具体例について説明する。図３では、表示部４が、いわゆる７セグメントディスプレイとして構成されており、５桁の数字を表示させる場合を例示している。
【００３５】
図３（ａ）は、まず最初に静電容量式タッチセンサ６ｂがタッチされた場合の図を示している。この場合、制御マイコン１は、静電容量式タッチセンサ６ｂの出力電圧に基づいて、静電容量式タッチセンサ６ｂに対するタッチを検出する。そして、制御マイコン１は、静電容量式タッチセンサ６ｂに対する電圧の印加を停止し、静電容量式タッチセンサ６ａに対してのみ電圧を印加する。
【００３６】
図３（ｂ）は、静電容量式タッチセンサ６ｂがタッチされてから所定時間以内に、静電容量式タッチセンサ６ａがタッチされた場合の図を示している。この場合、制御マイコン１は、静電容量式タッチセンサ６ａの出力電圧に基づいて、静電容量式タッチセンサ６ａに対するタッチを検出する。この静電容量式タッチセンサ６ａに対するタッチの検出は静電容量式タッチセンサ６ｂに対するタッチの検出から所定時間以内になされているため、制御マイコン１は、ユーザによってスクロール操作が行われたと判定する。そして、制御マイコン１は、表示部４の表示をスクロールさせる制御を行う。具体的には、制御マイコン１は、静電容量式タッチセンサ６ｂに対するタッチの検出後に静電容量式タッチセンサ６ａに対するタッチを検出しているため、つまり静電容量式タッチセンサ６へのタッチが右から左の方向になされているため、右から左の方向に表示部４の表示をスクロールさせる。一つの例では、制御マイコン１は、図３（ｂ）に示すように、１桁飛ばしでスクロール表示を行う（例えば最初に中央に表示されていた「３」を、中央の左隣りを飛ばして、左端に表示させる）。このように表示をスクロールさせることで、１〜９までの数字を全て表示させることができる。
【００３７】
制御マイコン１は、上記のようにスクロール操作が行われたと判定した後は、静電容量式タッチセンサ６ａ、６ｂの両方に対して電圧を印加する。１つの例では、制御マイコン１は、スクロール操作が行われたと判定した後において、所定時間が経過するまでは、スクロール操作の判定時にタッチを検出した静電容量式タッチセンサ６ａに対する電圧の印加を停止し、他方の静電容量式タッチセンサ６ｂに対してのみ電圧を印加し、当該所定時間が経過した後に、静電容量式タッチセンサ６ａ、６ｂの両方に対して電圧を印加する。
【００３８】
図３（ｃ）は、表示をスクロールさせた後に静電容量式タッチセンサ６ａ、６ｂが両方同時にタッチされた場合の図を示している。この場合、制御マイコン１は、静電容量式タッチセンサ６ａ、６ｂの出力電圧に基づいて、静電容量式タッチセンサ６ａ、６ｂが両方同時にタッチされたことを検出する。そして、制御マイコン１は、この際に表示部４に表示されている入力候補文字を入力文字として確定する。具体的には、制御マイコン１は、表示部４の中央の表示エリアに表示されている数字（図３（ｃ）に示す例では「５」）を、入力文字として取得する。
【００３９】
なお、制御マイコン１は、静電容量式タッチセンサ６ａに対するタッチの検出後に静電容量式タッチセンサ６ｂに対するタッチを検出した場合、つまり静電容量式タッチセンサ６へのタッチが左から右の方向になされた場合には、左から右の方向に表示部４の表示をスクロールさせる。
【００４０】
なお、制御マイコン１は、静電容量式タッチセンサ６ａ、６ｂのうちの一方に対するタッチを検出してから、静電容量式タッチセンサ６ａ、６ｂのうちの他方に対するタッチを検出するまでの時間に応じて、表示部４の表示をスクロールさせる速度を変えることができる。具体的には、制御マイコン１は、当該時間が短いほど、表示部４の表示をスクロールさせる速度を速くし、当該時間が長いほど、表示部４の表示をスクロールさせる速度を遅くする。例えば、制御マイコン１は、当該時間が短ければ、１桁飛ばしでスクロールを行い、当該時間が長ければ、１桁ずつスクロールを行う。
【００４１】
なお、表示部４の中央の表示エリアに表示されている入力候補文字を入力文字として確定することに限定はされない。他の例では、表示部４の左端又は右端の表示エリアに表示されている入力候補文字を入力文字として確定することができる。基本的には、入力文字を確定するために用いる表示エリアはどこでも良いが、入力文字を確定するために用いる表示エリアをユーザに把握させておくことが必要である。また、静電容量式タッチセンサ６ａ、６ｂを両方同時にタッチするといった操作にて、入力文字を確定することに限定はされず、これ以外の操作にて入力文字を確定しても良い。
【００４２】
［本実施形態による効果］
以上説明した本実施形態によれば、静電容量式タッチセンサ６に対するタッチに基づいて、スクロール操作を適切に認識することができる。よって、本実施形態によれば、簡便なハードウェア構成及びソフトウェア処理にて、スクロール操作を認識することが可能となる。
【００４３】
［変形例］
以下では、上記した実施形態の変形例について説明する。なお、下記の変形例は、任意に組み合わせて上述の実施形態に適用することができる。
【００４４】
（変形例１）
上記では、制御マイコン１が静電容量式タッチセンサ６に対するタッチを検出する実施形態を示したが、これに限定はされない。他の例では、図４に示すように、制御マイコン１とは別にコントロールＩＣ７を設け、コントロールＩＣ７によって、静電容量式タッチセンサ６に対するタッチを検出することができる。コントロールＩＣ７は、上記した制御マイコン１と同様に、静電容量式タッチセンサ６に電圧を印加した場合の出力電圧に基づいて、静電容量式タッチセンサ６に対するタッチを検出する。この例では、制御マイコン１及びコントロールＩＣ７が、本発明における「制御手段」として機能する。
【００４５】
（変形例２）
上記では、２つの静電容量式タッチセンサ６ａ、６ｂを用いる実施形態を示したが、３つ以上の静電容量式タッチセンサ６を用いても良い。
【００４６】
図５は、３つの静電容量式タッチセンサ６ｃ、６ｄ、６ｅを用いた場合の図を示している。図５（ａ）に示すように、静電容量式タッチセンサ６ｃ、６ｄ、６ｅは、横方向に隣接配置されている。基本的には、静電容量式タッチセンサ６ｃ、６ｄ、６ｅは、上記した静電容量式タッチセンサ６ａ、６ｂと同様に構成されている。また、静電容量式タッチセンサ６ｃ、６ｄ、６ｅは、静電容量式タッチセンサ６ａ、６ｂの代わりに、ＩＣカード１０に適用される（図１参照）。
【００４７】
図５（ｂ）は、中央に配置された静電容量式タッチセンサ６ｄが最初にタッチされた場合の図を示している（説明の便宜上、タッチされたことをハッチングにて表している）。この場合、制御マイコン１は、静電容量式タッチセンサ６ｄの出力電圧に基づいて、静電容量式タッチセンサ６ｄに対するタッチを検出する。そして、制御マイコン１は、静電容量式タッチセンサ６ｄに対する電圧の印加を停止し、静電容量式タッチセンサ６ｄに隣接する静電容量式タッチセンサ６ｃ、６ｅに対してのみ電圧を印加する。こうするのは、スクロール操作の判定を行うためには、既にタッチを検出した静電容量式タッチセンサ６ｄについてはタッチを検出する必要はなく、スクロール操作のために次のタッチがなされる可能性のある、静電容量式タッチセンサ６ｄに隣接する静電容量式タッチセンサ６ｃ、６ｅについてのタッチを検出すれば良いからである。
【００４８】
図５（ｃ）は、左端に配置された静電容量式タッチセンサ６ｃが最初にタッチされた場合の図を示している（説明の便宜上、タッチされたことをハッチングにて表している）。この場合、制御マイコン１は、静電容量式タッチセンサ６ｃの出力電圧に基づいて、静電容量式タッチセンサ６ｃに対するタッチを検出する。そして、制御マイコン１は、静電容量式タッチセンサ６ｃと、静電容量式タッチセンサ６ｃに隣接しない静電容量式タッチセンサ６ｅとに対する電圧の印加を停止し、静電容量式タッチセンサ６ｃに隣接する静電容量式タッチセンサ６ｄに対してのみ電圧を印加する。こうするのは、スクロール操作の判定を行うためには、既にタッチを検出した静電容量式タッチセンサ６ｃと、スクロール操作のために次のタッチがなされる可能性がない、静電容量式タッチセンサ６ｃに隣接しない静電容量式タッチセンサ６ｅとについてはタッチを検出する必要はなく、スクロール操作のために次のタッチがなされる可能性のある、静電容量式タッチセンサ６ｃに隣接する静電容量式タッチセンサ６ｄについてのタッチのみを検出すれば良いからである。
【００４９】
なお、制御マイコン１は、右端に配置された静電容量式タッチセンサ６ｅが最初にタッチされた場合には、静電容量式タッチセンサ６ｅと、静電容量式タッチセンサ６ｅに隣接しない静電容量式タッチセンサ６ｃとに対する電圧の印加を停止し、静電容量式タッチセンサ６ｅに隣接する静電容量式タッチセンサ６ｄに対してのみ電圧を印加する。
【００５０】
（変形例３）
上記では、静電容量式タッチセンサ６（６ａ〜６ｂまたは６ｃ〜６ｅ）を横に並べて配置する例を示したが、静電容量式タッチセンサ６を縦に並べて配置しても良い。静電容量式タッチセンサ６を縦に並べて配置した場合には、縦方向のスクロール操作を判定することとなる。
【００５１】
（変形例４）
本発明は、セグメント表示を行う表示部４への適用に限定はされない。本発明は、いわゆるドットマトリックス表示を行う構成にも同様に適用することができる。
【００５２】
また、本発明は、ＩＣカード１０への適用に限定はされない。本発明は、ユーザのタッチにより所定の動作を行う種々の機器に適用することができる。
【００５３】
（変形例５）
上記では、静電容量式タッチセンサ６を縦および横に配置した例を示したが、静電容量式タッチセンサをマトリクス状に並べて配置しても良い。静電容量式タッチセンサをマトリクス状に配置した場合には、縦および横方向のスクロール操作を判定することとなる。
【００５４】
（変形例６）
本発明は、ユーザのスクロール操作による表示部４の表示のスクロールに限定はされない。例えば、ユーザのスクロール操作でもってＩＣカードをアクティベートし、通信可能な状態とするなど、種々の処理のトリガーとして使用することができる。
【００５５】
（変形例７）
上記では、スクロール操作により、表示部４に表示させる文字をスクロールさせる例を示したが、スクロール操作により、表示部４に表示させる項目（表示項目）を切り替えても良い。例えば、表示項目としては電子マネーの残額やポイント残高を用いることができ、スクロール操作により、電子マネーの残額とポイント残高とを切り替えることができる。
【００５６】
したがって、本明細書では、「スクロール」とは、表示部４に収まりきらない表示対象を水平方向や垂直方向にスライドさせるといった一般的な意味だけでなく、上記のような表示項目の切り替えの意味も含まれるものとする。
【符号の説明】
【００５７】
１  制御マイコン
２  スイッチ
３  電源
４  表示部
６ａ、６ｂ  静電容量式タッチセンサ
７  コントロールＩＣ
１０  ＩＣカード
【図１】
2013232148.tif 000003
【図２】
2013232148.tif 000004
【図４】
2013232148.tif 000005
【図５】
2013232148.tif 000006
【図３】
2013232148.tif 000007